(57)【要約】【課題】  集合廊下灯と連携するインターホンシステムにおいて、無線呼出ボタンの押下により、集合廊下灯に収容する無線信号受信機を持たないインターホン子機とインターホン親機との通話ができるようにする【解決手段】  無線信号受信機能を持った本発明による集合廊下灯を、インターホン親機とインターホン子機を結ぶ通信線のうち全てまたは任意の１本に挿入して接続し、集合廊下灯は各無線呼出ボタンと任意のインターホン子機を対応づけて記憶し、当該インターホン子機が送信する親機呼出信号と同等の信号をインターホン親機に送信することで、当該インターホン子機とインターホン親機を通話状態にする。【選択図】図１
2018207187.tif 000002
【特許請求の範囲】
【請求項１】
インターホン親機と複数のインターホン子機とを繋ぐ複数の通信線の間に接続され、前記インターホン親機と前記複数のインターホン子機間でやり取りされる通話を含む信号を中継する集合廊下灯であって、
前記集合廊下灯は、無線呼出ボタンの発する無線呼出信号を受信して、信号に含まれる無線呼出ボタンの固有ＩＤを読み取る無線呼出信号受信手段と、
前記無線呼出信号に含まれる固有ＩＤと、前記自集合廊下灯に接続している複数のインターホン子機のうちの所定の一つと、を対応付けて記憶する無線呼出ボタン登録手段と、
前記インターホン子機から前記インターホン親機へ向けて送信される親機呼出要求信号と同等の親機呼出要求信号を、前記所定のインターホン子機に対応する通信線を通して前記インターホン親機へ送信する親機呼出手段と、
前記インターホン親機から前記インターホン子機へ向けて送信される子機制御信号を受信し、同等の子機制御信号を前記インターホン子機が接続されている通信線を通して中継送信する子機制御手段と、を備え、
前記無線呼出ボタンの発した無線呼出信号を受信すると、信号に含まれる固有ＩＤから予め前記無線呼出ボタン登録手段により対応づけられた前記所定のインターホン子機を特定し、前記親機呼出要求信号を前記特定したインターホン子機に対応する通信線を通して前記インターホン親機へ送信して前記インターホン親機を呼び出し、
前記インターホン親機が前記呼び出しに応答して前記特定したインターホン子機へ向けて送信する通話路接続のための子機制御信号を受信すると、前記受信した子機制御信号と同等の子機制御信号を前記特定したインターホン子機に対応する通信線を通して前記特定したインターホン子機へ送信することで、前記インターホン親機と前記インターホン子機の通話状態を確立する
ことを特徴とする無線呼出ボタン対応機能を備える集合廊下灯。
【請求項２】
インターホン子機を並列に複数接続し、前記接続したインターホンからの呼び出しに応答して前記接続したインターホン子機との通話を行うインターホン親機と、
前記インターホン親機と、前記複数のインターホン子機のうち所定の一つのインターホン子機と、を繋ぐ一つの通信線の間に接続され、前記インターホン親機と前記一つのインターホン子機間でやり取りされる通話を含む信号を中継する集合廊下灯と、であって、
前記インターホン親機は、一つの前記集合廊下灯と任意の数の前記インターホン子機とを一つのグループとして記憶するグループ記憶手段と、
前記インターホン子機または集合廊下灯が送信する親機呼出要求信号を受信して応答すると、前記インターホン子機との通話路接続のための子機制御信号を対応する通信線より送信する子機制御手段と、
前記集合廊下灯から送信される前記親機呼出要求信号に含まれる呼び元情報と前記グループ記憶手段による記憶しているグループ情報により、前記子機制御信号の送出先を特定する呼び元特定手段と、を備え
前記集合廊下灯は、無線呼出ボタンの無線呼出信号を受信して信号に含まれる無線呼出ボタンの固有ＩＤを読み取る無線呼出信号受信手段と、
前記無線呼出信号に含まれる固有ＩＤを、前記自集合廊下灯が属している前記グループのうちの所定の前記インターホン子機に対応付けて記憶する無線呼出ボタン登録手段と、
前記自集合廊下灯に接続している一つのインターホン子機および前記インターホン親機に接続している複数のインターホン子機から前記インターホン親機へ向けて送信される親機呼出要求信号と同等の親機呼出要求信号に、呼び元を示す情報を付与して送信する親機呼出手段と、
前記インターホン親機から通話路接続のために前記所定の自集合廊下灯に接続しているインターホン子機へ向けて送信される子機制御信号を中継して自集合廊下灯に接続しているインターホン子機へ送信する子機制御手段と、を備え、
前記集合廊下灯が前記無線呼出ボタンの無線呼出信号を受信すると、信号に含まれる固有ＩＤから予め前記無線呼出ボタン登録手段により対応づけられた所定の一つのインターホン子機を特定し、前記特定したインターホン子機を呼び元とする前記呼び元情報を含む前記親機呼出要求信号を前記インターホン親機へ送信し、
前記インターホン親機が前記集合廊下灯から送信された前記親機呼出要求信号を受信すると、前記集合廊下灯が属するグループと前記親機呼出要求信号に含まれる前記呼び元情報から、前記呼び元特定手段により呼び元のインターホン子機を特定し、呼び元のインターホン子機に対応する通信線より通話路接続のための子機制御信号を送信し、通話状態を確立する
ことを特徴とするインターホン親機および無線呼出ボタン対応機能を備える集合廊下灯を含むインターホンシステム。
【発明の詳細な説明】
【技術分野】
【０００１】
本発明は、医療施設や介護施設等に設置され、無線呼出機能を備えたナースコールシステムやインターホンシステム（以下インターホンシステム）に係り、特に被看護人からの呼出状態を表示する集合廊下灯に関する。
【背景技術】
【０００２】
無線呼出機能を備えるインターホンシステムとして、特許文献１には、無線信号（以下無線呼出信号）による呼び出しを行うナースコール子機（以下無線呼出ボタン）と、被看護人のベッドの近傍に設置される壁掛けのプレート子機（以下インターホン子機）と、複数のインターホン子機を収容して、ナースコール親機（以下インターホン親機）または前記インターホン子機から送信される信号を中継する集合廊下灯と、から構成されるインターホンシステムが記載されている。
【０００３】
このインターホンシステムにおいて、前記インターホン子機または前記集合廊下灯またはその両方に、前記無線呼出ボタンが発信した無線呼出信号を受信する受信機と、呼出を行った被看護人と呼び出された看護人との通話を確立する通話部を備え、前記無線呼出ボタンから発信された無線呼出信号を受信すると、インターホン親機を呼び出し、インターホン親機からの応答信号を受信すると、被看護人と看護人の通話を確立する技術が記載されている。
【先行技術文献】
【特許文献】
【０００４】
【特許文献１】特開２００５−２３６４３７号公報
【発明の概要】
【発明が解決しようとする課題】
【０００５】
しかしながら、特許文献１に示したインターホンシステムでは、インターホン子機と集合廊下灯に受信機を設けた場合に、被看護人の各々に対応するベッドの近傍にあるインターホン子機の全てで無線呼出及び呼出後の親機との通話を行えるよう構成する場合は、全てのインターホン子機が無線受信機能を具備しなければならずコストが嵩むと言う問題がある。
【０００６】
また、特許文献１に示したインターホンシステムの集合廊下灯のみに受信機を設けた場合、無線呼出ボタンを押下した被看護人は、呼び出された看護人と通話を行う際、呼出を行った集合廊下灯が設置されている場所まで移動して会話するか、その場から大声で会話をしなければならないという問題がある。
【０００７】
本発明の課題はこれらを鑑みて成されたもので、その目的は、上述した受信機を集合廊下灯のみに設けた場合において、被看護人が前記無線呼出ボタンによる看護人の呼出を行った際に、ベッドから移動または大声で会話することなく、呼び出された看護人とベッド近傍のインターホン子機を使用して通話することができるようになる集合廊下灯の技術を提供することにある。
【課題を解決するための手段】
【０００８】
上記課題を解決するため本発明は、インターホン親機と複数のインターホン子機とを繋ぐ複数の通信線の間に接続され、前記インターホン親機と前記複数のインターホン子機間でやり取りされる通話を含む信号を中継する集合廊下灯であって、前記集合廊下灯は、無線呼出ボタンの発する無線呼出信号を受信して、信号に含まれる無線呼出ボタンの固有ＩＤを読み取る無線呼出信号受信手段と、前記無線呼出信号に含まれる固有ＩＤと、前記自集合廊下灯に接続している複数のインターホン子機のうちの所定の一つと、を対応付けて記憶する無線呼出ボタン登録手段と、前記インターホン子機から前記インターホン親機へ向けて送信される親機呼出要求信号と同等の親機呼出要求信号を、前記所定のインターホン子機に対応する通信線を通して前記インターホン親機へ送信する親機呼出手段と、前記インターホン親機から前記インターホン子機へ向けて送信される子機制御信号を受信し、同等の子機制御信号を前記インターホン子機が接続されている通信線を通して中継送信する子機制御手段と、を備え、前記無線呼出ボタンの発した無線呼出信号を受信すると、信号に含まれる固有ＩＤから予め前記無線呼出ボタン登録手段により対応づけられた前記所定のインターホン子機を特定し、前記親機呼出要求信号を前記特定したインターホン子機に対応する通信線を通して前記インターホン親機へ送信して前記インターホン親機を呼び出し、前記インターホン親機が前記呼び出しに応答して前記特定したインターホン子機へ向けて送信する通話路接続のための子機制御信号を受信すると、前記受信した子機制御信号と同等の子機制御信号を前記特定したインターホン子機に対応する通信線を通して前記特定したインターホン子機へ送信することで、前記インターホン親機と前記インターホン子機の通話状態を確立することを特徴とする。
【０００９】
または、インターホン子機を並列に複数接続し、前記接続したインターホンからの呼び出しに応答して前記接続したインターホン子機との通話を行うインターホン親機と、
前記インターホン親機と、前記複数のインターホン子機のうち所定の一つのインターホン子機と、を繋ぐ一つの通信線の間に接続され、前記インターホン親機と前記一つのインターホン子機間でやり取りされる通話を含む信号を中継する集合廊下灯と、であって、前記インターホン親機は、一つの前記集合廊下灯と任意の数の前記インターホン子機とを一つのグループとして記憶するグループ記憶手段と、前記インターホン子機または集合廊下灯が送信する親機呼出要求信号を受信して応答すると、前記インターホン子機との通話路接続のための子機制御信号を対応する通信線より送信する子機制御手段と、前記集合廊下灯から送信される前記親機呼出要求信号に含まれる呼び元情報と前記グループ記憶手段による記憶しているグループ情報により、前記子機制御信号の送出先を特定する呼び元特定手段と、を備え前記集合廊下灯は、無線呼出ボタンの無線呼出信号を受信して信号に含まれる無線呼出ボタンの固有ＩＤを読み取る無線呼出信号受信手段と、前記無線呼出信号に含まれる固有ＩＤを、前記自集合廊下灯が属している前記グループのうちの所定の前記インターホン子機に対応付けて記憶する無線呼出ボタン登録手段と、前記自集合廊下灯に接続している一つのインターホン子機および前記インターホン親機に接続している複数のインターホン子機から前記インターホン親機へ向けて送信される親機呼出要求信号と同等の親機呼出要求信号に、呼び元を示す情報を付与して送信する親機呼出手段と、前記インターホン親機から通話路接続のために前記所定の自集合廊下灯に接続しているインターホン子機へ向けて送信される子機制御信号を中継して自集合廊下灯に接続しているインターホン子機へ送信する子機制御手段と、を備え、前記集合廊下灯が前記無線呼出ボタンの無線呼出信号を受信すると、信号に含まれる固有ＩＤから予め前記無線呼出ボタン登録手段により対応づけられた所定の一つのインターホン子機を特定し、前記特定したインターホン子機を呼び元とする前記呼び元情報を含む前記親機呼出要求信号を前記インターホン親機へ送信し、前記インターホン親機が前記集合廊下灯から送信された前記親機呼出要求信号を受信すると、前記集合廊下灯が属するグループと前記親機呼出要求信号に含まれる前記呼び元情報から、前記呼び元特定手段により呼び元のインターホン子機を特定し、呼び元のインターホン子機に対応する通信線より通話路接続のための子機制御信号を送信し、通話状態を確立する、ことを特徴とする。
【発明の効果】
【００１０】
本発明による集合廊下灯によれば、前記集合廊下灯は無線呼出信号の受信機能を持ち、被看護人が押下した前記無線呼出ボタンが発する前記無線呼出信号に対応する前記インターホン子機を特定し、当該インターホン子機の発する親機呼出要求信号と同等の信号をインターホン親機に送信することで、無線呼出動作を行うことができる。
【００１１】
これにより、被看護人がベッド上などから無線呼出ボタンによる呼出をした際、インターホン親機とベッド近傍の当該インターホン子機の通話が確立するので、被看護人はベッドから移動せずに、呼出を受けた前記インターホン親機で応答した看護人と通話を行う事ができる。また、インターホン子機が無線受信機を具備する必要なく前記無線呼出動作を実現できるため、コストを低減することができる。
【図面の簡単な説明】
【００１２】
【図１】第一の実施例における、本発明による集合廊下灯２を含むインターホンシステムの全体構成図および機能ブロック構成図である。
【図２】第一の実施例における、無線呼出ボタン４ａが押下されて、インターホン親機１とインターホン子機３ａが通話状態になるまでのシーケンス図である。
【図３】第二の実施例における、本発明によるインターホン親機１と集合廊下灯２を含むインターホンシステムの全体構成図および機能ブロック構成図である。
【図４】第二の実施例における、無線呼出ボタン４ａが押下されて、インターホン親機１とインターホン子機３ａが通話状態になるまでのシーケンス図である。
【図５】第二の実施例における、無線呼出ボタン４ｂが押下されて、インターホン親機１とインターホン子機３ｂが通話状態になるまでのシーケンス図である。
【発明を実施するための形態】
【実施例１】
【００１３】
以下、図面を用いて本発明の第１の実施例を説明する。
【００１４】
図１は、本発明の集合廊下灯２を含むインターホンシステムの全体構成図および機能ブロック構成図である。図示するように、本発明のインターホンシステムは、インターホン親機１と、集合廊下灯２と、インターホン子機３と、無線呼出ボタン４とから構成される。
【００１５】
インターホン親機１は、看護人が使用する一般的なインターホンの親機であり、通信線５を介して集合廊下灯２に接続する。
【００１６】
本実施例においては、親機呼出要求信号の受信によりインターホン親機１の呼出を検知し、通話路接続を指示する子機制御信号の送信を行う。
【００１７】
集合廊下灯２は、本発明の発明対象であり、インターホン親機１と複数のインターホン子機３（３ａ、３ｂ、３ｃ）と接続し、インターホン親機１と複数のインターホン子機３の間の信号のやり取りを中継する。さらに、集合廊下灯２は、インターホン子機３毎に通信線６（６ａ、６ｂ、６ｃ）によって接続するとともに、インターホン親機１と前記通信線６とおなじ数の通信線５（５ａ、５ｂ、５ｃ）によって接続する。また、集合廊下灯２は、複数の無線呼出ボタン４（４ａ、４ｂ、４ｃ）を収容し、無線呼出ボタン４から無線呼出信号を受信すると、受信した無線呼出信号に応じて対応するインターホン子機３を特定し、インターホン子機３からの呼出信号としてインターホン親機１を呼出す。
【００１８】
インターホン子機３は、被看護人が利用している図示しないベッド近傍に配置された一般的なインターホンの子機であり、本実施例においては前記通信線６を介して集合廊下灯２に接続する。
【００１９】
本実施例においては、前記インターホン親機１から送信される前記子機制御信号を受信して前記インターホン親機１との通話路を確立し、通話路を確立したインターホン親機１との通話を行う。
【００２０】
無線呼出ボタン４は一般的な無線呼出ボタンであり、患者である被看護人がベッド上からボタンを押下すると、固体毎に持つ固有のＩＤとボタンの押下状態を示す情報を含む無線呼出信号を送出する。
【００２１】
本発明による集合廊下灯２は本実施例において、前記無線呼出ボタン４が発する前記無線呼出信号を受信するための無線情報受信部２１と、前記無線情報受信部２１を介して受信した前記無線呼出信号の解析や各入出力制御などを行う集合廊下灯制御部２２と、無線呼出ボタン４の利用登録状態を記憶する集合廊下灯記憶部２３と、前記インターホン子機３のそれぞれに対応した複数の通信線５および通信線６を接続するための複数の接続ポートを備え、前記インターホン親機１が送信する前記子機制御信号を受信して当該インターホン子機へ中継送信し、前記インターホン子機３が送信する前記親機呼出要求信号を受信してインターホン親機へ中継送信する、インターホン親機子機中継制御部２４と、により構成される。
【００２２】
尚、本構成をとる場合に、インターホン親機１およびインターホン子機３の通信方式は通信線路のループ開閉と極性反転の検出等により呼出および通話制御を可能とするアナログ方式のものを用いてもよいし、親機呼出情報や子機制御情報を含む信号の送受信により呼出および通話制御を可能とするディジタル方式のものを用いてもよい。以降の説明は、ディジタル方式の通信方式を持つ一般的なインターホン親機１とインターホン子機３を用いたものとする。
【００２３】
尚、図示しないが本実施例において集合廊下灯２は無線呼出ボタン４の利用登録機能を持ち、受信した前記無線呼出信号に含まれる各無線呼出ボタン固有のＩＤと、インターホン子機３ａ、３ｂ、３ｃのいずれかを対応づけて集合廊下灯記憶部２３に記憶する事ができる無線呼出ボタン登録手段を持つ。
【００２４】
以降の実施例においては本手段によりあらかじめインターホン子機３ａに対して無線呼出ボタン４ａを、インターホン子機３ｂに対して無線呼出ボタン４ｂを、インターホン子機３ｃに対して無線呼出ボタン４ｃを対応付けているものとする。
【００２５】
尚、ひとつのインターホン子機３に対して、複数の無線呼出ボタン４を対応させてもよい。
【００２６】
尚、図示しないが、インターホン子機３が押しボタン等による呼出ボタンを備え、ボタンを押下する事で通信線６より親機呼出要求信号を送出する機能がある場合に、本発明による集合廊下灯２が前記親機呼出要求信号を受信した場合、受信した信号と同等の親機呼出要求信号を、通信線５を介してインターホン親機１へ送信する事で、無線呼出ボタン４によらない通常のインターホン親機呼び出しを実現できる。
【００２７】
尚、集合廊下灯２およびインターホン子機３ａまたは３ｂまたは３ｃへの電源供給は、インターホン親機１が通信線５および通信線６を介して供給するよう構成してもよいし、集合廊下灯２およびインターホン子機３がそれぞれ外部から電源を取り込むよう構成してもよい。
【００２８】
以降の実施例においては、図示しないが、インターホン親機１が通信線５および通信線６を介して集合廊下灯２とインターホン子機３の各々に電源供給を行うよう構成したものとする。
【００２９】
図２は、前記無線呼出ボタン４ａが被看護人により押下されて、インターホン親機１とインターホン子機３ａが通話状態になるまでのシーケンス図である。
【００３０】
被看護人がベッド上から無線呼出ボタン４ａの押下を行い、前記集合廊下灯２が無線情報受信部２１で無線呼出ボタン４ａからの無線呼出信号の受信を検出すると（Ｓ２００１）、集合廊下灯制御部２２は受信した無線呼出信号に含まれる固有ＩＤを参照キーとして集合廊下灯記憶部２３を参照し、前記無線呼出ボタン４aが前記利用登録機能によりインターホン子機３aに対応づけて登録済である事を確認する。その後、親機子機中継制御部２４より、前記インターホン子機３ａに対応する通信線５ａを通じてインターホン親機１の呼出を行うための親機呼出要求信号の送信を行う（Ｓ２００２）。
【００３１】
インターホン親機１が通信線５ａにより前記親機呼出要求信号を受信すると、インターホン親機１はインターホン子機３ａからの呼び出しであることを特定して（Ｓ２００３）、呼出表示等を行う。そして、インターホン親機１は、呼び出しに対する看護人の応答操作を検出すると（Ｓ２００４）、通信線５ａより通話路接続を指示する子機制御信号の送出を行い（Ｓ２００５）、インターホン親機１とインターホン子機３ａとの通話接続指示を行う。
【００３２】
前記インターホン親機１から送出された子機制御信号を通信線５ａにより受信すると、集合廊下灯２は、インターホン子機３ａへの通話路接続指示である事を検知し、親機子機中継制御部２４よりインターホン子機３ａに対応する通信線６ａを通じて、受信した子機制御信号と同等の子機制御信号をインターホン子機３ａに送出する（Ｓ２００６）。
【００３３】
インターホン子機３ａが通話路６ａから前記通話路接続を指示する子機制御信号を受信してインターホン親機１からの通話路接続要求として検知すると（Ｓ２００７）、インターホン子機３ａは通話路の接続動作を行い（Ｓ２００８）、インターホン子機３ａとインターホン親機１との通話状態が成立する。これにより、被看護人は、ベッド近傍のインターホン子機３ａを通じてインターホン親機１で応答した看護人と通話を行う事ができる。
【００３４】
以上、本発明の第１の実施例について説明した。
【００３５】
第１の実施例によれば、集合廊下灯２は、無線呼出ボタン４の発した無線呼出信号を受信すると、信号に含まれる固有ＩＤから予め前記無線呼出ボタン登録手段により対応づけられたインターホン子機３を特定し、前記特定したインターホン子機３に対応する通信線５を通してインターホン親機１へ親機呼出要求信号を送信してインターホン親機１を呼び出す。
【００３６】
また、集合廊下灯２は、インターホン親機１が前記親機呼出信号に応答して前記インターホン子機３に向けて送信する通話路接続のための子機制御信号を通信線５を通して受信し、同等の子機制御信号を通信線６を通して前記インターホン子機３へ送信する。
【００３７】
これにより本発明による集合廊下灯２を含むインターホンシステムは、前記無線呼出ボタン４からの呼出をインターホン子機３からの呼出として動作することができるため、ベッド上から被看護人が前記無線呼出ボタン４を押下すると、インターホン親機１とインターホン子機３の通話状態が成立し、被看護人はベッドから動く事なく近傍のインターホン子機３を使用してインターホン親機１で応答した看護人と通話を行う事ができる。
【００３８】
また、第１の実施例によれば、集合廊下灯２は、インターホン子機３の呼出操作によりインターホン親機１を呼び出す親機呼出信号を通信線６を通して受信すると、受信した前記親機呼出信号と同等の親機呼出信号を、インターホン子機３に対応する通信線５を通してインターホン親機１へ親機呼出要求信号を送信する。
【００３９】
これにより本発明による集合廊下灯２を含むインターホンシステムは、前記インターホン子機３と前記インターホン親機１のみから成るインターホンシステムと同等の親機呼出機能を提供することができる。
【実施例２】
【００４０】
以下、図面を用いて本発明の第２の実施例を説明する。
【００４１】
図３は、本発明のインターホン親機１および集合廊下灯２を含むインターホンシステムの全体構成図および機能ブロック構成図である。
【００４２】
図示するように、本発明のインターホンシステムは、インターホン親機１と、集合廊下灯２と、インターホン子機３と、無線呼出ボタン４とから構成される。
【００４３】
インターホン親機１は本発明の発明対象であり、通信線５aを介して集合廊下灯２に接続し、集合廊下灯２を中継してインターホン子機３aと接続する。
【００４４】
さらに、インターホン親機１は、通信線５ｂ、５ｃを介して、インターホン子機３ｂ、３ｃと直接接続する。
【００４５】
集合廊下灯２は、本発明の発明対象であり、インターホン親機１とインターホン子機３aとを繋ぐ通信線の間に接続し、インターホン親機１とインターホン子機３aの間の信号のやり取りを中継する。
【００４６】
また、集合廊下灯２は、複数の無線呼出ボタン４（４ａ、４ｂ、４ｃ）を収容し、無線呼出ボタン４から無線呼出信号を受信すると、受信した無線呼出信号に応じて対応するインターホン子機３を特定し、インターホン子機３からの呼出信号としてインターホン親機１を呼出す。
【００４７】
インターホン子機３は、被看護人が利用する図示しないベッド近傍に配置された一般的なインターホンの子機であり、本実施例においては前記通信線６を介して集合廊下灯２に、前記通信線５ｂ、５ｃを介してインターホン親機１に接続する。
【００４８】
本実施例においては、前記インターホン親機１から送信される前記子機制御信号を受信して前記インターホン親機１との通話路を確立し、通話路を確立したインターホン親機１との通話を行う。
【００４９】
無線呼出ボタン４は一般的な無線呼出ボタンであり、患者である被看護人がベッド上からボタンを押下すると、固体毎に持つ固有のＩＤとボタンの押下状態を示す情報を含む無線呼出信号を送出する。
【００５０】
本発明によるインターホン親機１は本実施例において、集合廊下灯２およびインターホン子機３より送信される親機呼出要求信号を受信し、集合廊下灯２およびインターホン子機３へ通話路接続を指示する子機制御信号の送信を行うための、各インターホン子機３に対応した数の接続ポートを備える子機インタフェース部１１と、
受信した前記親機呼出要求信号の解析や各入出力の制御などを行う親機制御部１２と、
１つの前記集合廊下灯２と複数の前記インターホン子機３とを１つのグループとして記憶しておくための、親機記憶部１３と、を備えるものとする。
【００５１】
尚、図示しないが本実施例においてインターホン親機１は、１つのインターホン親機１と１つの集合廊下灯２と任意の数のインターホン子機３を１つのグループとして、子機インタフェース部１１のどの接続ポートに集合廊下灯２およびインターホン子機３が接続しているかのポート番号情報を、親機記憶部１５に記憶するグループ登録手段を持つ。
【００５２】
以降の実施例においては本手段によりあらかじめ、集合廊下灯２と、集合廊下灯２に接続しているインターホン子機３aと、インター本親機３ａに直接接続しているインターホン子機３ｂおよび３ｃと、を１つのグループとして記憶してあるものとする。
【００５３】
尚、インターホン親機１は、前記グループ登録手段により前記グループを複数親機記憶部へ登録し、複数のグループに重複して所属するよう構成してもよい。
【００５４】
本発明による集合廊下灯２は本実施例において、前記無線呼出ボタン４が発する前記無線呼出信号を受信するための無線情報受信部２１と、
前記無線情報受信部２１を介して受信した前記無線呼出信号の解析や各入出力制御などを行う集合廊下灯制御部２２と、
無線呼出ボタン４の利用登録状態を記憶する集合廊下灯記憶部２３と、
前記インターホン親機１と接続するための通信線５aおよび前記インターホン子機３aと接続するための通信線６を接続するための接続ポートを備え、前記インターホン親機１が送信する前記子機制御信号を受信してインターホン子機３ａへ中継送信し、前記インターホン子機３ａが送信する前記親機呼出要求信号を受信してインターホン親機へ中継送信する、親機子機中継制御部２４と、を備えるものとする。
【００５５】
尚、図示しないが本実施例において集合廊下灯２は無線呼出ボタンの利用登録機能を持ち、受信した前記無線呼出信号に含まれる各無線呼出ボタン固有のＩＤと、インターホン子機３ａ、３ｂ、３ｃのいずれかを対応づけて集合廊下灯記憶部２３に記憶する事ができる無線呼出ボタン登録手段を持つ。
【００５６】
以降の実施例においては本手段によりあらかじめインターホン子機３ａに対して無線呼出ボタン４ａを、インターホン子機３ｂに対して無線呼出ボタン４ｂを、インターホン子機３ｃに対して無線呼出ボタン４ｃを対応付けているものとする。
【００５７】
尚、ひとつのインターホン子機３に対して、複数の無線呼出ボタン４を対応するよう登録して構成してもよい。
【００５８】
尚、図示しないが、インターホン子機３aが押しボタン等による呼出ボタンを備え、ボタンを押下する事で通信線６より親機呼出要求信号を送出する機能がある場合に、本発明による集合廊下灯２が前記親機呼出要求信号を受信した場合、受信した信号と同等の親機呼出要求信号を、通信線５aを介してインターホン親機１へ送信する事で、無線呼出ボタン４aによらない通常のインターホン親機呼び出しを実現できる。
【００５９】
尚、集合廊下灯２およびインターホン子機３ａまたは３ｂまたは３ｃへの電源供給は、インターホン親機が通信線５および通信線６を介して供給するよう構成してもよいし、集合廊下灯およびインターホン子機がそれぞれ外部から電源を取り込むよう構成してもよい。以降の実施例においては、図示しないが、インターホン親機が通信線５および通信線６を介して集合廊下灯とインターホン子機の各々に電源供給を行うよう構成したものとする。
【００６０】
図４は、前記無線呼出ボタン４ａが被看護人により押下されて、インターホン親機１とインターホン子機３ａが通話状態になるまでのシーケンス図である。
【００６１】
被看護人がベッド上から無線呼出ボタン４ａの押下を行い、前記集合廊下灯２が無線情報受信部２１で無線呼出ボタン４aからの無線呼出信号の受信を検出すると(Ｓ４００１)、集合廊下灯制御部２２は受信した無線呼出信号に含まれる固有ＩＤを参照キーとして集合廊下灯記憶部２３を参照し、前記無線呼出ボタン４aが前記利用登録機能によりインターホン子機３aに対応づけて登録済である事を確認する。その後、親機子機中継制御部２４より、通信線５aを通じてインターホン親機１の呼出を行うための、呼び元がインターホン子機３aである事を示す呼び元情報を含む親機呼出要求信号の送信を行う（Ｓ４００２）。
【００６２】
インターホン親機１が子機インタフェース部１１で通信線５aにより前記親機呼出要求信号を受信すると、インターホン親機１は子機インタフェース部１１の信号を受信した接続ポート番号を参照キーとして親機記憶部１３を参照して、前記親機呼出要求信号を送信したのが集合廊下灯２である事を特定し、前記グループ登録手段により集合廊下灯２が前記インターホン子機３aおよび３ｂおよび３ｃを含むグループに属している事を特定し、受信した前記親機呼出要求信号に含まれる呼び元情報がインターホン子機３aである事により、集合廊下灯２を介した前記当該グループのインターホン子機３aからの呼び出しであることを特定して（Ｓ４００３）、呼出表示等を行う。そして、インターホン親機１は、呼出に対する看護人の応答操作を検出すると（Ｓ４００４）、子機インタフェース部１１から通信線５aより集合廊下灯２に対して通話路接続を指示する子機制御信号の送出を行い（Ｓ４００５）、インターホン親機１とインターホン子機３aとの通話接続指示を行う。
【００６３】
集合廊下灯２が前記インターホン親機１から送出された子機制御信号を通信線５ａにより受信すると、親機子機中継制御部２４よりインターホン子機３ａに対応する通信線６ａを通じて、受信した子機制御信号と同等の子機制御信号をインターホン子機３aに送出する（Ｓ４００６）。
【００６４】
インターホン子機３aが通話路６からの前記通話路接続を指示する子機制御信号を受信してインターホン親機１からの通話路接続要求として検知すると（Ｓ４００７）、インターホン子機３aは通話路の接続動作を行い（S４００８）、インターホン子機３aとインターホン親機１との通話状態が成立する。これにより、被看護人は、ベッド近傍のインターホン子機３aを通じてインターホン親機１で応答した看護人と通話を行う事ができる。
【００６５】
図５は、前記無線呼出ボタン４ｂが被看護人により押下されて、インターホン親機１とインターホン子機３ｂが通話状態になるまでのシーケンス図である。
【００６６】
被看護人が前記無線呼出ボタン４ｂの押下を行い、前記集合廊下灯２が無線情報受信部２１で無線呼出ボタン４ｂからの無線呼出信号を受信を検出すると(Ｓ５００１)、集合廊下灯制御部２２は受信した無線呼出信号に含まれる固有ＩＤを参照キーとして集合廊下灯記憶部２３を参照し、前記無線呼出ボタン４ｂが前記利用登録機能によりインターホン子機３ｂに対応づけて登録済である事を確認する。その後、親機子機中継制御部２４より、通信線５aを通じてインターホン親機１の呼出を行うための呼び元がインターホン子機３ｂである事を示す呼び元情報を含む親機呼出要求信号の送信を行う（Ｓ５００２）。
【００６７】
インターホン親機１が子機インタフェース部１１で通信線５aにより前記親機呼出要求信号を受信すると、インターホン親機１は子機インタフェース部１１の信号を受信した接続ポートのポート番号を参照キーとして親機記憶部１３を参照して、前記親機呼出要求信号を送信したのが集合廊下灯２である事を特定し、前記グループ登録手段により集合廊下灯２が前記インターホン子機３aおよび３ｂおよび３ｃを含むグループに属している事を特定し、受信した前記親機呼出要求信号に含まれる呼び元情報がインターホン子機３ｂである事により、集合廊下灯２を介した前記当該グループのインターホン子機３ｂからの呼び出しであることを特定して（Ｓ５００３）、呼出表示等を行う。そして、インターホン親機１は、呼出に対する看護人の応答操作を検出すると（Ｓ５００４）、子機インタフェース部１１からインターホン子機３ｂに対応する通信線５ｂより通話路接続を指示する子機制御信号の送出を行い（Ｓ５００５）、インターホン親機とインターホン子機３ｂとの通話接続指示を行う。
【００６８】
インターホン子機３が前記通話路接続を指示する子機制御信号を受信してインターホン親機１からの通話路接続要求として検知すると（Ｓ５００６）、インターホン子機３ｂは通話路の接続動作を行い（Ｓ５００７）、インターホン子機３ｂとインターホン親機１との通話状態が成立する。これにより、被看護人は、ベッド近傍のインターホン子機３ｂを通じてインターホン親機１で応答した看護人と通話を行う事ができる。
【００６９】
尚、図示しないが、本実施例においては前記無線情報受信部２１および集合廊下灯制御部２２および集合廊下灯記憶部２３に相当するものを、前記インターホン子機３のうちのいずれか一つに備えて、本発明による集合廊下灯を使用せずに従来技術による集合廊下灯を接続するよう構成してもよい。その場合は、インターホン子機３が無線呼出信号の受信および呼び元のインターホン子機３の特定および特定した呼び元情報を含む前記親機呼出要求信号の送信を行う。
【００７０】
尚、図示しないが、本実施例においてはインターホン子機３aと集合廊下灯２を接続する通信線６を、集合廊下灯２に接続せずにインターホン親機１へ接続するよう構成してもよい。その場合は、前記グループ登録手段にて、集合廊下灯２と、インターホン親機１と直接接続するインターホン子機３aおよび３ｂおよび３ｃと、を一つのグループとして記憶し、前記呼び元がインターホン子機３aである親機呼出要求信号を集合廊下灯２より受信したインターホン親機１は、集合廊下灯２ではなく自機に直接接続しているインターホン子機３aへ前記子機制御信号の送出を行う。
【００７１】
以上、本発明の第２の実施例について説明した。
【００７２】
本実施例によれば、集合廊下灯２は、無線呼出ボタン４が発した無線呼出信号を受信すると、信号に含まれる固有ＩＤから予め前記無線呼出ボタン登録手段により対応づけられたインターホン子機３を特定し、通信線５aを通して、インターホン親機１へ呼び元が前記特定したインターホン子機３である事を示す呼出元情報を含む親機呼出要求信号を送信してインターホン親機１を呼び出す。
【００７３】
また、集合廊下灯２は、インターホン親機１が前記親機呼出信号に応答して前記インターホン子機３aに向けて送信する通話路接続のための子機制御信号を通信線５aを通して受信し、同等の子機制御信号を通信線６を通して前記インターホン子機３aへ送信する。
【００７４】
また、インターホン親機１は、集合廊下灯２から前記親機呼出信号を受信すると、前記親機呼出信号を受信した子機インタフェース部１１の受信ポート番号と、前記親機呼出信号に含まれる呼出元情報を参照キーとして親機記憶部１３を参照し、登録されているグループと前記呼び出情報から呼び元のインターホン子機３を特定して、応答操作検出後、特定したインターホン子機３へ直接または集合廊下灯２を介して通話路接続を指示する子機制御信号を送信する。
【００７５】
これにより本発明によるインターホン親機１と集合廊下灯２を含むインターホンシステムは、前記無線呼出ボタン４からの呼出を対応するインターホン子機３からの呼出として動作することができるため、ベッド上から被看護人が前記無線呼出ボタン４を押下すると、インターホン親機１とインターホン子機３の通話状態が成立し、被看護人はベッドから動く事なく近傍のインターホン子機３を使用してインターホン親機１で応答した看護人と通話を行う事ができる。
【００７６】
また、本実施例によれば、集合廊下灯２は、インターホン子機３aの呼出操作によりインターホン親機１を呼び出す親機呼出信号を通信線６を通して受信すると、受信した前記親機呼出信号と同等の親機呼出信号を、通信線５aを通してインターホン親機１へ親機呼出要求信号を送信する。
【００７７】
これにより本発明による集合廊下灯２を含むインターホンシステムは、インターホン子機３と前記インターホン親機１のみから成るインターホンシステムと同等の親機呼出機能を提供することができる。
【００７８】
また、本実施例におけるインターホン親機１によれば、集合廊下灯２の無線情報受信部２１および集合廊下灯制御部２２および集合廊下灯記憶部２３に相当するものを、インターホン子機３のうちのいずれか一つに備えて、インターホン子機３が無線呼出信号の受信および呼び元のインターホン子機３の特定および特定した呼び元情報を含む前記親機呼出要求信号の送信を行うよう構成することもできる。
【００７９】
これにより、本発明による集合廊下灯を使用せずに本実施例と同等の無線呼出ボタンによる親機呼出機能を提供することができる。
【００８０】
また、本実施例によれば、インターホン子機３aと集合廊下灯２を通信線６により接続せずに、インターホン子機３aとインターホン親機１を接続するよう構成し、前記呼び元情報がインターホン子機３aである親機呼出要求信号を集合廊下灯２より受信したインターホン親機１は、集合廊下灯２ではなく自機に直接接続しているインターホン子機３aへ前記子機制御信号の送出を行うようにすることもできる。
【００８１】
これにより集合廊下灯２とインターホン子機３aを配線上接続することが難しいような場合にも、本実施例と同等の無線呼出ボタンによる親機呼出機能を提供することができる。
【符号の説明】
【００８２】
１…インターホン親機、１１…子機インタフェース部、１２…親機制御部、１３…親機記憶部、２…集合廊下灯、２１…無線情報受信部、２２…集合廊下灯制御部、２３…集合廊下灯記憶部、２４…親機子機中継制御部、３…インターホン子機。
【図１】
2018207187.tif 000003
【図２】
2018207187.tif 000004
【図３】
2018207187.tif 000005
【図４】
2018207187.tif 000006
【図５】
2018207187.tif 000007